(57)【要約】【課題】容易に図面を作成することができるセルコンセプトを用いた設計方法を提供する。【解決手段】スイッチを表すシンボルを有するセルと、セル又は複数のセルの結線関係を表示する出力部（表示部）と、表示部に表示されたセルに関する操作場所情報および複数のシンボル間の結線情報を記憶する記憶部と、複数のシンボル間の結線の処理を行う制御部とを備えている。複数のセルを組み合せて図面を作成するセルコンセプトを用いた設計方法を用いて、制御部は、２つの異なるセルのうち、第１のセル内で選択された第１のシンボルの識別情報と、第２のセル内で選択された第２のシンボルの識別情報との結線情報が記憶部に含まれているとき、第１のシンボルと第２のシンボルを結線することを特徴とする。図面１１および図面１２は、第１のセルおよび第２のセルに基づいて作成された図面である。【選択図】図２
2008257527.tif 000002
【特許請求の範囲】
【請求項１】
スイッチを表す少なくとも１つ以上のシンボルを有するセルを表示又は前記シンボルの結線の関係を表示する表示部と、前記セルに関する操作場所情報および前記シンボルに関する結線情報を記憶する記憶部と、前記シンボルの結線処理を行う制御部とを有する図面作成装置を用いて、複数の前記セルを組み合せて操作ブロック図の図面を設計するセルコンセプトを用いた設計方法であって、
前記制御部は、
前記セル内で前記シンボルが選択されたとき、該シンボルのスイッチの種類およびスイッチの動作構成を操作者に設定させるシンボル設定画面を、前記表示部に表示する処理と、
前記シンボル設定画面において入力された前記スイッチの種類および前記スイッチの動作構成を、前記セル内の選択されたシンボルに表示する処理と、
複数の選択されたシンボルの識別情報間の結線情報が前記記憶部に含まれているとき、該複数の選択されたシンボル間を結線する処理と、
２つの異なる前記セルのうち、第１のセル内で選択されたシンボルの識別情報と、第２のセル内で選択されたシンボルの識別情報との結線情報が前記記憶部に含まれているとき、第１のセル内で選択されたシンボルと前記２のセル内で選択されたシンボルを結線する
処理と、
前記第１のセルおよび前記第２のセルを含む図面をスイッチの操作ブロック図として作成する処理と、を含んで実行する
ことを特徴とするセルコンセプトを用いた設計方法。
【請求項２】
スイッチを表す少なくとも１つ以上のシンボルを有するセルを表示又は前記シンボルの結線の関係を表示する表示部と、前記セルに関する操作場所情報および前記シンボルの結線情報を記憶する記憶部と、前記シンボルの結線処理を行う制御部とを有する図面作成装置を用いて、複数の前記セルを組み合せて図面を設計するセルコンセプトを用いた設計方法であって、
前記制御部は、２つの異なる前記セルのうち、第１のセル内で選択された第１のシンボルの識別情報と、第２のセル内で選択された第２のシンボルの識別情報との結線情報が前記記憶部に含まれているとき、前記第１のシンボルと前記第２のシンボルを結線する
ことを特徴とするセルコンセプトを用いた設計方法。
【請求項３】
前記セルは、スイッチの区分毎に区分けされ、該区分毎に１つ以上の前記シンボルが配置されている
ことを特徴とする請求項２に記載のセルコンセプトを用いた設計方法。
【請求項４】
前記シンボルは、スイッチの種類およびスイッチの動作構成が配置されている
ことを特徴とする請求項２に記載のセルコンセプトを用いた設計方法。
【請求項５】
前記制御部は、前記セル内で前記シンボルが選択されたとき、該シンボルのスイッチの種類およびスイッチの動作構成を選択するシンボル設定画面を、前記表示部に表示する
ことを特徴とする請求項４に記載のセルコンセプトを用いた設計方法。
【請求項６】
前記制御部は、前記シンボル設定画面から入力されたスイッチの種類と、スイッチの動作構成に矛盾があるか否かを判別し、矛盾があるとき前記表示部に警告の指令をする
ことを特徴とする請求項５に記載のセルコンセプトを用いた設計方法。
【請求項７】
前記制御部は、前記表示部に表示された前記セル内の選択された第３のシンボルの識別情報と、選択された第４のシンボルの識別情報との結線情報が前記記憶部に含まれているとき、前記第３のシンボルと前記第４のシンボルを結線する
ことを特徴とする請求項２から請求項６のいずれか１項に記載のセルコンセプトを用いた設計方法。
【請求項８】
前記制御部は、前記第１のセルと前記第２のセルを含む図面をスイッチの操作ブロック図として出力する
ことを特徴とする請求項７に記載のセルコンセプトを用いた設計方法。
【請求項９】
スイッチを表す複数のシンボルを組み合せて図面を作成する図面作成装置であって、
少なくとも１つ以上の前記シンボルを有するセルを表示又は前記シンボルの結線の関係を表示する表示部と、
前記表示部に表示された前記セルに関する操作場所情報および前記シンボルの結線情報を記憶する記憶部と、
前記表示部に表示された前記セル内で前記シンボルが選択されたとき、該シンボルのスイッチの種類およびスイッチの動作構成を操作者に設定させるシンボル設定画面を、前記表示部に表示し、
前記シンボル設定画面において入力された前記スイッチの種類および前記スイッチの動作構成を、前記セル内の選択されたシンボルに表示し、
複数の選択されたシンボルの識別情報間の結線情報が前記記憶部に含まれているとき、該複数の選択されたシンボル間を結線し、
前記表示部に表示された２つの異なる前記セルのうち、第１のセル内で選択されたシンボルの識別情報と、第２のセル内で選択されたシンボルの識別情報との結線情報が前記記憶部に含まれているとき、第１のセル内で選択されたシンボルと前記２のセル内で選択されたシンボルを結線し、
前記第１のセルおよび前記第２のセルを含む図面をスイッチの操作ブロック図として作成する制御部とを備える
ことを特徴とする図面作成装置。
【請求項１０】
スイッチを表す複数のシンボルを組み合せて図面を作成する図面作成装置であって、
少なくとも１つ以上の前記シンボルを有するセルを表示又は前記シンボルの結線の関係を表示する表示部と、
前記表示部に表示された前記セルに関する操作場所情報および前記シンボルの結線情報を記憶する記憶部と、
前記表示部に表示された２つの異なる前記セルのうち、第１のセル内で選択された第１のシンボルの識別情報と、第２のセル内で選択された第２のシンボルの識別情報との結線情報が前記記憶部に含まれているとき、前記第１のシンボルと前記第２のシンボルとの結線を行う制御部とを備える
ことを特徴とする図面作成装置。
【請求項１１】
前記セルは、スイッチの区分毎に区分けされ、該区分毎に１つ以上の前記シンボルが配置されている
ことを特徴とする請求項１０に記載の図面作成装置。
【請求項１２】
前記シンボルは、スイッチの種類およびスイッチの動作構成が配置されている
ことを特徴とする請求項１１に記載の図面作成装置。
【請求項１３】
前記制御部は、前記セル内で前記シンボルが選択されたとき、該シンボルのスイッチの種類およびスイッチの動作構成を選択するシンボル設定画面を、前記表示部に表示する
ことを特徴とする請求項１２に記載の図面作成装置。
【請求項１４】
前記制御部は、前記表示部に表示された前記セル内の選択された第３のシンボルの識別情報と、選択された第４のシンボルの識別情報との結線情報が前記記憶部に含まれているとき、前記第３のシンボルと前記第４のシンボルを結線する
ことを特徴とする請求項１０から請求項１３のいずれか１項に記載の図面作成装置。
【請求項１５】
前記制御部は、前記第１のセルと前記第２のセルを含む図面をスイッチの操作ブロック図として出力する
ことを特徴とする請求項１４に記載の図面作成装置。
【請求項１６】
請求項１から請求項８のいずれか１項に記載のセルコンセプトを用いた設計方法をコンピュータに実行させるためのプログラム。
【請求項１７】
請求項１６に記載のプログラムを記録した記録媒体。
【発明の詳細な説明】
【技術分野】
【０００１】
本発明は、機器の操作ブロック図の設計方法に係わり、特にセルコンセプトを用いた設計方法、図面作成装置、プログラム、および記録媒体に関する。
【背景技術】
【０００２】
セルコンセプトとは、変化に対応し進化しつづける「生態系」とその力の根源「細胞」(Cell)に学んだコンセプトであり、ユーザから見える「機能」をひとつの「細胞(セル)」と捉え、環境変化に「調和」「順応」し「進化」するコンセプトである。
【０００３】
従来の図面作成方法は、設計者が顧客との打ち合わせ情報に基づいて、雛型図面をＣＡＤ（Computer Aided Design）で修正して目的の図面を作成したり、メニューからシンボルを選んで貼り付けたりすることで図面上に目的のシンボルを配置してきた。また、配置するシンボルについてもスイッチの「種類」のみを示すもので、それらのレイアウトおよび結線は、設計者が判断して行う。
【０００４】
特許文献１では、シンボルの種類を選択して任意の場所に配置し、シンボル配置時にシンボルの持つ端子の位置情報を検出し、その情報を基にシンボル間の結線を実現している。
【０００５】
特許文献２では、階層構造をもった回路において、下位階層の回路構成要素を示す下位シンボルを記憶し、複数の下位シンボルを組み合せて、上位回路を作成している。
【０００６】
特許文献３では、電気設備設計や電気工事に使用する図面を作成するＣＡＤシステムであり、機器の仕様を含むシンボルを格納したシンボルファイルと、該シンボルに付加された属性記号を基に図面を作成している。
【特許文献１】特開平８−１０６３８０号公報
【特許文献２】特開平５−２６１７号公報
【特許文献３】特開平７−２３４８９１号公報
【発明の開示】
【発明が解決しようとする課題】
【０００７】
特許文献１の図面作成方法では、結線作業などで手作業での作成箇所が多く、設計者独自の書き方が混在し図面の統一性が失われ、作成時の入力ミスが発生するなど作成効率が悪い問題がある。
【０００８】
特許文献２および特許文献３の作図方法では、下位シンボル又は機器の仕様を含むシンボルを多数登録し呼び出すことにより、図面作成効率は多少向上している。しかしながら、一部自動結線が行われているが、基本的に結線作業は手作業で実施している。このため、設計者独自の書き方が混在し図面の統一性が失われ、作成時の入力ミスが発生するなど作成効率が悪い問題がある。
【０００９】
本発明は、前記の課題を解決するための発明であって、容易に図面を作成することができるセルコンセプトを用いた設計方法、図面作成装置、プログラム、および記録媒体を提供することを目的とする。
【課題を解決するための手段】
【００１０】
上記の課題を解決するために、スイッチを表す少なくとも１つ以上のシンボルを有するセルを表示又はシンボルの結線の関係を表示する表示部（例えば、出力部２２）と、セルに関する操作場所情報およびシンボルの結線情報を記憶する記憶部（例えば、記憶部２４）と、シンボルの結線処理を行う制御部（例えば、制御部２１）とを有する図面作成装置を用いて、複数のセルを組み合せて操作ブロック図の図面を設計するセルコンセプトを用いた設計方法であって、制御部は、セル内でシンボルが選択されたとき、シンボルのスイッチの種類およびスイッチの動作構成を操作者に設定させるシンボル設定画面（例えば、シンボルのメニュー選択画面３０）を、表示部に表示する処理と、シンボル設定画面において入力されたスイッチの種類およびスイッチの動作構成を、セル内の選択されたシンボルに表示する処理と、複数の選択されたシンボルの識別情報間の結線情報が記憶部に含まれているとき、複数の選択されたシンボル間を結線する処理と、２つの異なるセルのうち、第１のセル内で選択されたシンボルの識別情報と、第２のセル内で選択されたシンボルの識別情報との結線情報が記憶部に含まれているとき、第１のセル内で選択されたシンボルと２のセル内で選択されたシンボルを結線する処理と、第１のセルおよび第２のセルを含む図面をスイッチの操作ブロック図として作成する処理と、を含んで実行することを特徴とする。
【発明の効果】
【００１１】
本発明によれば、セルコンセプトを用いた設計方法により容易に図面を作成することができる。
【発明を実施するための最良の形態】
【００１２】
以下、本発明の実施形態について図面を参照して説明する。
図１は、本発明による図面作成処理の全体の流れを示す説明図である。コンピュータ（図面作成装置）には、図面作成用のソフトウェアが動作しており、本実施形態では、このようなソフトウェアとしてＣＡＤを一例とする。本実施形態は、コンピュータ（例えば、ＰＣ（Personal Computer））を使用して、作業者が、顧客などから指示された仕様をメニューから選択し、それによってシンボルのレイアウト、シンボル間の結線を行うことで、図面（操作ブロック図）の作成を提供するものであるが、後記する基本セルに基づき、シンボルを選択・設定することにより、自動的に図面を作成するものである。ここでは、プラント制御分野における機器の操作ブロック図の作成方法について説明する。
【００１３】
図面の作成方法の概要を示すと、図面作成用のシステムが起動すると（処理Ｓ１）、作業者は、操作場所を選択する（処理Ｓ２、図７参照）。すると、選択された操作場所に対する基本セルを表示する画面（マックスパターンを表示する画面）が表示される（図５、図６参照）。以下、基本セルを表示する画面を『基本セル画面』という。基本セル画面内の入力対象のシンボル（図８参照）を選択する（処理Ｓ３）。操作場所スイッチ（ＳＷ）の操作名称を選択する（処理Ｓ４、図９参照）。さらに、スイッチ種別を選択する（処理Ｓ５，図９参照）。その他の選択が終了し、基本セルに戻り、『描画』ボタンをクリックする（処理Ｓ６）と、操作場所における図面が作成される（処理Ｓ７）。各操作場所における処理Ｓ２〜Ｓ６を繰り返すことにより、基本セルに対する、指示された仕様の図面が作成され、各基本セルの結線定義情報（図３参照）を基に、最終的な全体図面が作成される。なお、図３、図５〜図９については、後記する。
【００１４】
図２は、操作ブロック図の例を示す全体図である。図１において、操作場所として、現場と中央が選択されると、各操作場所に対応する現場操作盤の図面１１（第１のセルに基づいて作成された図面）と、中央監視制御装置の図面１２（第２のセルに基づいて作成された図面）とが作成される。最終的な図面として、操作ブロック図１０は、図面１１と図面１２とを備えた全体図となる。図面１１，１２には、複数のシンボル（図８参照）が配置されており、各シンボルの選択メニュー画面（シンボル設定画面）から操作名称、スイッチ種別などを選択することによって、各シンボルの設定が行われ、全体図面に対してのシンボルのレイアウト、シンボル内に表記されている文字、複数のシンボル間の結線が手作業を必要とせずに行われる。
【００１５】
図３は、本発明の実施形態に係る図面作成装置を示す構成図である。図面作成装置２０は、制御部２１、ディスプレイおよびプリンターなどの出力部２２、マウス（ポインティングデバイス）などの入力部２３、記憶部２４を具備している。
【００１６】
制御部２１は、具体的には、プログラムに従って動作するＣＰＵ（Central Processing Unit）によって実現され、出力部２２のディスプレイに操作場所選択メニュー画面などを表示させ、図面作成用プログラムを実行する。
【００１７】
記憶部２４は、セル情報２４１、操作場所選択メニュー情報２４２、シンボルメニュー情報２４３、操作名称定義情報２４４、スイッチ種別定義情報２４５、座標値定義情報２４６、結線定義情報２４７などが格納されている。
【００１８】
セル情報２４１は、シンボルのレイアウト区画ルールに基づいた操作場所毎の基本セルのマックスパターンの情報である。詳細は、図４、図５、および図６において説明する。操作場所選択メニュー情報２４２は、システムが起動した場合に表示される最初に表示される画面情報であり、図７において説明する。シンボルメニュー情報２４３は、シンボルの機能を設定する場合に表示されるメニュー画面情報であり、図８および図９において説明する。
【００１９】
操作名称定義情報２４４は、操作名称定義ファイル（図１０参照）に基づいたシンボルの操作名称を定義する情報である。スイッチ種別定義情報２４５は、スイッチ種別定義ファイル（図１１参照）に基づいたシンボルのスイッチ種別を定義する情報である。座標値定義情報２４６は、座標値定義ファイル（図１２参照）に基づいたシンボルの位置を定義する情報である。結線定義情報２４７は、結線定義ファイル（図１３参照）に基づいたシンボル間の結線を定義する情報である。詳細は、図１０〜図１３において説明する。
【００２０】
図４は、シンボルのレイアウト区画ルールを示す説明図である。操作場所には、現場（現場操作盤）、中央（中央監視制御装置）、電気室など多数の操作場所があるが、ここでは、現場と中央を例として説明する。シンボルを操作ブロック図にレイアウトする際の、操作場所毎およびスイッチ区分毎のレイアウト区画を示したものである。図４（ａ）は、最終図面における操作場所毎の図面レイアウト区画を示し、図４（ｂ）は、現場操作盤を例にしたスイッチ区分毎のレイアウト区画を示す。具体的には、図４（ａ）に示すように、操作場所（制御盤の配置場所）に関して一点鎖線で領域を分ける。ここでは、例として現場操作盤と中央監視制御装置の２通りの操作場所について記載している。さらに、現場操作盤は、図４（ｂ）に示すように、操作場所ＳＷ、制御モードＳＷ、号機選択ＳＷ、機器操作ＳＷ、特殊操作ＳＷ、補助ＳＷの６つのスイッチ区分に分けられている。図４のシンボルのレイアウト区画ルールに基づき、操作場所毎の基本セルのマックスパターンが予め決定されている。なお、ＳＷはSwitchの略である。
【００２１】
図５は、現場操作盤のマックスパターンを示す構成図である。図５は、操作者が操作場所として、現場を選択したときに、出力部２２の表示画面に表示される画面例でもある。現場操作盤のマックスパターン６０は、図４で示す操作場所ＳＷ、制御モードＳＷ、号機選択ＳＷ、機器操作ＳＷ、特殊操作ＳＷ、補助ＳＷの６つのスイッチ区分で構成されている。操作場所ＳＷの区分には、シンボルａ１１が配置され、制御モードＳＷの区分には、シンボルｂ１１，ｂ１２，ｂ１３，ｂ１４が配置されている。号機選択ＳＷの区分には、シンボルｃ１１，ｃ１２，ｃ１３が配置され、機器操作ＳＷの区分には、シンボルｄ１１，ｄ１２，ｄ１３，ｄ１４，ｄ１５が配置されている。特殊操作ＳＷには、シンボルｅ１１が配置され、補助ＳＷの区分には、シンボルｆ１１，ｆ１２、ｆ１３が配置されている。各シンボル間は、結線により関係付けられている。なお、中央側のシンボルとの結線も表示されている。
【００２２】
図６は、中央監視制御装置のマックスパターンを示す構成図である。図６は、操作者が操作場所として、中央を選択したときに、出力部２２の表示画面に表示される画面例でもある。中央監視制御装置のマックスパターン６１は、図４で示す操作場所ＳＷ、特殊操作ＳＷのスイッチ区分はなく、制御モードＳＷ、号機選択ＳＷ、機器操作ＳＷ、補助ＳＷの４つのスイッチ区分で構成されている。制御モードＳＷの区分には、シンボルｂ１１，ｂ１２，ｂ１３，ｂ１４が配置されている。号機選択ＳＷの区分には、シンボルｃ１１，ｃ１２，ｃ１３，ｃ１４が配置され、機器操作ＳＷの区分には、シンボルｄ１１，ｄ１２，ｄ１３，ｄ１４，ｄ１５，ｄ１６が配置されている。補助ＳＷの区分には、シンボルｆ１１，ｆ１２，ｆ１３が配置されている。各シンボル間は、結線により関係付けられている。
【００２３】
図７は、操作場所選択メニューの画面例を示す図である。システムが起動されると表示される画面例である。操作場所の選択は、プルダウンメニュー形式として表示され、現場、中央、電気室などが表示される。操作者は、操作場所を選択すると、前記した基本セル画面である図５又は図６のような各操作場所毎のマックスパターン６０，６１を表示する。
【００２４】
図８は、シンボルの構成を示す説明図である。図８（ａ）は、シンボルの記載事項を示し、図８（ｂ）は、スイッチ区分毎の操作名称を示している。図８（ａ）に示すように、シンボルの左側にはスイッチ種類、右側にはスイッチの動作の名称（操作名称）について記載されている。それぞれのシンボルはスイッチ区分、操作名称、スイッチ種別ごとに機能が異なる。
【００２５】
図８（ｂ）に示すように、スイッチ区分は図４（ｂ）に対応して６通りに分けられる。例えば、操作場所ＳＷを表すシンボルの場合、中央−現場、中央−電気室、遠方−直接などが選択でき、制御モードＳＷを表すシンボルの場合、連動−単独、自動−手動などがある。
【００２６】
図９は、シンボルのメニューの画面例を示す図である。図９は、図５の操作場所ＳＷ区分にあるシンボルａ１１をクリックすると、表示される画面である。シンボルのメニュー選択画面３０は、操作名称３１、スイッチ種別３２をそれぞれプルダウンメニューから選択する。操作名称のプルダウンメニューの内容は、選択された操作場所ＳＷに区分に応じて、操作名称定義ファイル（図１０参照）を参照して表示する。
【００２７】
選択したい操作名称がプルダウンメニュー内に存在しない場合は、第１操作３３に名称を入力して、追加ボタン３４をクリックすることで、確認領域３５に表示され、シンボルの操作名称定義ファイルに重複選択肢が存在しなければ、選択肢が追加される。次回以降は、プルダウンメニューに表示されるようになる。なお、追加ボタン３４を押された場合に、制御部２１（図３参照）は、操作名称定義ファイルの整合性をチェックし、同一操作名称などが認識された場合に、警告メッセージを出力することが好ましい。
【００２８】
スイッチ種別のメニューはスイッチ種別定義ファイル（図１１参照）を参照して表示する。スイッチ種別定義ファイルはユーザの操作によって編集は不可とする。スイッチの仕様の選択が済んだらＯＫボタン３６を押す。キャンセルボタン３７が押されると、先の操作をキャンセルする。
【００２９】
各種定義ファイルを次に説明する。
図１０は、操作名称定義ファイルを示す説明図である。スイッチ区分毎に操作名称の定義がされている。例えば、操作場所ＳＷの場合、ａ１＝中央，現場、ａ２＝中央，電気室などである。
【００３０】
図１１は、スイッチ種別定義ファイルを示す説明図である。ＳＷ１は、ＰＢＳ（Push Button Switch）であり、ＳＷ２は、ＣＯＳ（Change Over Switch）の切換えスイッチである。
【００３１】
図１２は、座標値定義ファイルを示す説明図である。これはシステム内部で保持しており、ユーザには公開しない情報である。また、ユーザの操作によって編集が行われることもない。図５および図６に示すように、各シンボルにはシンボルナンバー(シンボルＮｏ)が付番されている。シンボルＮｏ毎に、レイアウト位置であるＸ座標４０、Ｙ座標４１が、それぞれ定義されている。
【００３２】
シンボルＮｏは、操作場所コード（Ａ又はＢ）、シンボルＮｏ（スイッチ区分と一貫ナンバーの組み合せ）によってシステム内でシンボルの判別を行う（シンボル判別コード）。すなわち、操作場所コード４４に対しては、大文字のＡ、Ｂで区分けをする。スイッチ区分４２は、小文字のａ、ｂ・・・で表す。一貫ナンバー（一貫Ｎｏ）は、その後ろの数値４３で表している。
【００３３】
また、座標値定義ファイルでは、シンボル毎に持つ入力・出力端子の座標値も定義する。シンボル判別コードの末尾識別子４５，４６が「i」であれば入力端子、「ｏ」であれば、出力端子である。出力端子については、複数存在することがあるため、端子区分（ｏ）の後に一貫ナンバー(一貫Ｎｏ)４７をシンボル内の上にある端子から順に付番する。マックスパターンを表示する画面（例えば、図５および図６）にて入力の行われたシンボルについては、定義されている座標値に従って図面上にレイアウトする。
【００３４】
図１３は、結線定義ファイルを示す説明図である。結線は結線定義ファイルに従って行う。定義ファイル内では『出力端子Ｎｏ、入力端子Ｎｏ、入力端子Ｎｏ・・・』という形で結線先が定義されている。また、結線定義ファイルには、結線元端子の座標値、結線先端子の座標値が定義されている。シンボルとシンボルの間で結線が屈折する必要があるものについては、結線元端子座標値と結線先端子座標値の間に、結線が折れ曲がる場所の座標値が定義されている。制御部２１（図３参照）は、図面にレイアウトされるシンボルのシンボル判別コードと一致するものを検索し、一致する組み合わせが存在したら、それらのシンボル間の結線を行う。結線を行う際には、線がシンボルに交わらないように端子と端子を結線していく。なお、具体的な座標値の例は、図１８にて後記する。
【００３５】
次に、図面作成の処理の流れについて、主に、図１、図３および図１４を用いて詳細に説明する。図１において、システムが起動すると（処理Ｓ１）、制御部２１は、操作場所選択メニュー情報２４２を取得して、操作場所選択メニュー（図７参照）を表示する。操作者は、作成する操作場所を選択する（処理Ｓ２）。すると、制御部２１は、選択された操作場所のセル情報２４１から基本セル画面（マックスパターンの表示する画面）を表示する（図５又は図６参照）。画面内には操作場所におけるシンボルの最大数パターンが既にレイアウトされている。
【００３６】
操作者は、基本セル画面から、仕様を入力したいシンボルを選択する。制御部２１は、シンボルメニュー情報２４３を取得して、シンボルのメニュー画面（図９参照）を表示する。操作者は、操作名称選択し（処理Ｓ４）、スイッチ種別を選択し（処理Ｓ５）、シンボルの仕様を決定する。すると、基本セル画面（マックスパターンを表示する画面）に戻る。操作者は、マックスパターンの表示画面（図５又は図６参照）において、描画ボタンを押すと、図１４の処理が開始される。
【００３７】
図１４は、シンボルのレイアウトおよびシンボル間の結線の処理を示すフローチャートである。図１４において、制御部２１（図３参照）は、シンボルのレイアウト処理、シンボル間の結線処理、図面作画処理を実行する。制御部２１は、基本セル画面（マックスパターンを表示する画面）で『描画』ボタンのクリックを検出する（処理Ｓ１０）と、設定が終了したシンボルの図面の描画を開始する。
【００３８】
制御部２１は、選択されている操作場所の取得を行う（処理Ｓ１１）。次に、シンボルの仕様が選択されているシンボルナンバー（シンボルＮｏ）の取得を行う（処理Ｓ１２）。同時に、選択されているシンボルの仕様の内容（スイッチ区分、操作名称、スイッチ種別）を取得する（処理Ｓ１２）。仕様が選択されているシンボルナンバーと操作場所コードをキー情報に、座標定義ファイル（図１２参照）から座標値を参照し、シンボルの作図データを図面作成ワークファイル（図示せず）に出力する（処理Ｓ１３）。具体的には、出力フラグがＯＮになっているシンボルを図面作成ワークファイルに出力する。
【００３９】
制御部２１は、出力するシンボルのシンボル判別コードをキー情報に、結線定義ファイル（図１３参照）を参照してシンボル間の結線を行う（処理Ｓ１４）。そして、レイアウト情報、結線情報を基に操作ブロック図の表示を行う（処理Ｓ１５）。ここで、具体的に、処理Ｓ１０および処理Ｓ１５の画面例を、図１５および図１６を参照して説明する。
【００４０】
図１５は、基本セル画面による入力例（現場操作盤）を示す説明図である。基本セル画面にてシンボルの場所、仕様が選択された状態を表したものである。図１５に示すように、現場操作盤の仕様選択において、操作場所ＳＷ（図４（ｂ）参照）、制御モードＳＷ、補助ＳＷの仕様が選択された状態である。このときに、『描画』ボタンを押すと図１６のような操作ブロック図が描画される。
【００４１】
図１６は、操作ブロック図作成過程（現場操作盤のみ描画時）を示す説明図である。選択された操作場所ＳＷ、制御モードＳＷ、補助ＳＷの各シンボルが表示されている。
【００４２】
表示された操作ブロック図において、操作者が、さらにシンボルの追加、変更を実施したい場合は、『戻る』ボタン５０をクリックする。『戻る』ボタン５０がクリックされると基本セル画面に戻る。
【００４３】
図１４に戻り、制御部２１は、『戻る』ボタン５０が押されたか否かを判定する（処理Ｓ１６）。制御部２１は、『戻る』ボタン５０の押圧を検知した場合（処理Ｓ１６，Ｙｅｓ）、基本セル画面を表示する（処理Ｓ１７）。基本セル画面では、既に選択されている仕様の入力が保持されて表示されている。操作者は、基本セル画面に戻った後、仕様の追加・変更を実施し（処理Ｓ１８）、再び『描画』ボタンをマウスクリックすると、処理Ｓ１０に戻る。
【００４４】
処理Ｓ１６において、制御部２１は、『戻る』ボタン５０の押圧を検知しない場合（処理Ｓ１６，Ｎｏ）、処理Ｓ１９へ進む。制御部２１は、『作成』ボタンが押されたか否かを判定する（処理Ｓ１９）。『作成』ボタン５１の押圧を検知した場合（処理Ｓ１９，Ｙｅｓ）、図面の作成処理を実施し（処理Ｓ２０）、一連の処理を終了する。処理Ｓ１９において、『作成』ボタン５１の押圧を検知しない場合（処理Ｓ１９，Ｎｏ）、処理Ｓ１６へ戻る。なお、図１４に示す図面の作成処理は、操作場所毎に実施する。
【００４５】
図１５の基本セル画面において、選択した条件の整合性チェックを実施する。『描画』ボタンを押された際に選択されたメニューに不整合が存在した場合は警告メッセージを表示する。例えば、ＰＢＳ（押しボタン式スイッチ）が選択されているのに３種類の状態を選ぶ名称が入力されている場合がある。
【００４６】
次に複数の基本セルの結線方法について説明する。具体的には、操作場所として現場（第１セル）を選択した場合と、中央（第２セル）を選択した場合についてを例として説明する。
【００４７】
図１７は、現場操作盤と中央監視制御装置との結線を示す説明図である。図１７（ａ）は、現場を選択し図面の作成が終了した状態を示し、図１７（ｂ）は、中央を選択し図面の作成が終了した状態を示す。ここで、現場操作盤と中央監視制御装置との結線について検討する。現場操作盤の操作ブロック図において、操作場所ＳＷの上側は、「中央」を表すものであると設定され、操作場所ＳＷの中央側の端子が第１端点となる。
【００４８】
図１７（ｂ）に示すように、中央監視制御装置の操作ブロック図において、操作場所ＳＷ、特殊ＳＷは定義されていない。この場合、制御ＳＷの最も図面上方に描かれているシンボルの入力端子が第２端点となる。制御ＳＷが選択されていない場合は、号機選択ＳＷ、号機選択ＳＷも選択されていない場合は、機器操作ＳＷの、それぞれ最も図面上方に描かれているシンボルの入力端子が第２接点となる。そして、制御部２１（図３参照）は、第１接点と第２接点との有無を判定し、第１接点と第２接点とを確認した場合は結線する。なお、制御部２１は、現場操作盤側に操作場所ＳＷが選択されていない場合は、現場操作盤と中央監視制御装置との結線は実施しない。このように、図１３の結線定義ファイルには、基本セル間の結線定義も定義しておくことが好ましい。図１８に、結線定義ファイルの変形例を示す。
【００４９】
図１８は、現場−中央間の結線定義を示す説明図である。制御部２１（図３参照）は、基本セル間の端子間を結線する際に、図１８に示す結線定義ファイルを参照する。シンボルの端子を表すＩＤ（Ａａ１１＿ｏ１など）と、結線元端子の座標値、結線が折れ曲がる場所の座標値、結線先端子の座標値が定義されている。図１９に中央と現場の結線例、図２０に結線の処理フローを示す。
【００５０】
図１９は、現場−中央間の結線例を示す説明図である。シンボル間の結線をする際には、シンボルのＩＤをキーに定義されている座標値に沿って結線がされる。図１９の例では、ａ１１のシンボルの第１出力端子とｂ１１のシンボルの入力端子を結線している。具体的には、現場操作盤側のシンボルａ１１の出力端子ｏ１と、中央監視制御装置側のシンボルｂ１１の入力端子とが、折れ線で結線されている。座標点は、現場操作盤の左下を原点として定義されている。結線は、始点（３０，８５）から開始し、屈曲点（折点）（４０，８５），（４０，９５），（８０，９５），（８０，７５）を経由して、終点（８５，７５）で終了する。ここでは説明のために、図に座標値を記載しているが、実際の画面では座標値は表示されず内部的に処理される。
【００５１】
図２０は、現場−中央間の結線の処理を示すフローチャートである。制御部２１（図３参照）は、操作場所として現場操作盤が選択されているか否かを判定する（処理Ｓ３０）。現場操作盤が選択されている場合（処理Ｓ３０，Ｙｅｓ）、処理Ｓ３１へ進む。現場操作盤が選択されていない場合（処理Ｓ３０，Ｎｏ）、本処理を終了する。制御部２１は、シンボルａ１１のスイッチが選択されているか判定する（処理Ｓ３１）。シンボルａ１１のスイッチが選択されていた場合（処理Ｓ３１，Ｙｅｓ）、処理Ｓ３２へ進む。シンボルａ１１のスイッチが選択されていない場合（処理Ｓ３１，Ｎｏ）、本処理を終了する。処理Ｓ３２において、制御部２１は、シンボルの出力端子ループを実行する。通常、出力端子は複数あるので、出力端子の数だけ処理Ｓ３３〜処理Ｓ３８を繰り返す。
【００５２】
制御部２１は、シンボルの出力端子が第１出力端子か否かを判定する（処理Ｓ３３）。シンボルの出力端子が第１出力端子である場合（処理Ｓ３３，Ｙｅｓ）、処理Ｓ３４へ進む。シンボルの出力端子が第１出力端子でない場合（処理Ｓ３３，Ｎｏ）、処理Ｓ３６へ進む。処理Ｓ３４において、制御部２１は、操作場所として中央監視制御装置が選択されているか否かを判定する（処理Ｓ３４）。操作場所として中央監視制御装置が選択されている場合（処理Ｓ３４，Ｙｅｓ）、処理Ｓ３５へ進む。操作場所として中央監視制御装置が選択されていない場合（処理Ｓ３４，Ｎｏ）、本処理を終了する。処理Ｓ３５において、中央監視制御装置（中央）で選択されている補助ＳＷを除く、最も左上に位置するシンボルＩＤを取得する。そして、結線定義ファイルを参照し、シンボルａ１１と取得したシンボルＩＤの定義値を取得する（処理Ｓ３７）。さらに、結線定義の定義値の座標値を基に自動結線を行う（処理Ｓ３８）。なお、処理Ｓ３６においては、現場操作盤（現場）の制御モードＳＷで選択されているシンボルのシンボルＩＤを取得し、処理Ｓ３７へ進む。このようにして、シンボルａ１１の出力端子は、現場操作盤内の他のシンボルとの結線、および、中央監視制御装置のシンボルとの結線をすることができる。
【００５３】
本発明の実施形態では、各基本セルのシンボルのレイアウト機能、シンボル間の結線機能を提供することにより、設計者独自の手法を排除して図面の記述方法を統一し、図面品質の向上および入力ミスを減らし設計時間の短縮を図ることができる。
【００５４】
本発明の実施形態では、コンピュータ等で作成される図面の作成において、セル情報２４１（図３参照）および作図ルールの定義ファイルの情報を格納した記憶部２４を備え、設計者が操作場所選択メニュー（図７参照）から操作場所を選択すると、制御部２１は、操作場所のマックスパターン（セル）が表示される。設計者がマックスパターン（セル）６０，６１内のシンボルをクリックすると、制御部２１は、シンボルのメニュー画面を表示する。操作者は、シンボルのメニュー画面を利用して、スイッチ区分毎に操作名称、スイッチ種別を選択する。このとき、選択に応じたメニュー定義ファイルが参照され、操作場所毎およびスイッチ区分毎に区画分けされた座標に、設計者が判断することなく、操作名称とスイッチ種別を表すシンボルがレイアウトされる。レイアウトされたシンボルの上下関係の情報を、結線定義情報２４７から参照し、手作業を必要とせずに上流から下流へシンボル間の結線を行う。制御部２１は、操作場所毎の操作ブロック図が作成完了後、各操作ブロック図の関係付けに基づいて、すなわち、シンボル間の結線定義情報２４７を参照し、操作場所間の結線を自動的にすることができる。
【００５５】
本発明の実施形態によれば、シンボルのメニュー画面、および、マックスパターンを表示する画面から仕様を選択して操作ブロック図を作成することにより、図面に記載する情報に漏れが無くなるなど、図面の品質が向上する。更に設計時間の短縮と、図面作成時の入力ミスを削減することができる。
【図面の簡単な説明】
【００５６】
【図１】本発明による図面作成処理の流れを示す説明図である。
【図２】操作ブロック図の例を示す全体図である。
【図３】図面作成装置を示す構成図である。
【図４】シンボルのレイアウト区画ルールを示す説明図である。
【図５】現場操作盤のマックスパターンを示す構成図である。
【図６】中央監視制御装置のマックスパターンを示す構成図である。
【図７】操作場所選択メニューの画面例を示す図である。
【図８】シンボルの構成を示す説明図である。
【図９】シンボルのメニューの画面例を示す図である。
【図１０】操作名称定義ファイルを示す説明図である。
【図１１】スイッチ種別定義ファイルを示す説明図である。
【図１２】座標値定義ファイルを示す説明図である。
【図１３】結線定義ファイルを示す説明図である。
【図１４】シンボルのレイアウトおよびシンボル間の結線の処理を示すフローチャートである。
【図１５】基本セル画面による入力例（現場操作盤）を示す説明図である。
【図１６】操作ブロック図作成過程（現場操作盤のみ描画時）を示す説明図である。
【図１７】現場操作盤と中央監視制御装置との結線を示す説明図である。
【図１８】現場−中央間の結線定義を示す説明図である。
【図１９】現場−中央間の結線例を示す説明図である。
【図２０】現場−中央間の結線の処理を示すフローチャートである。
【符号の説明】
【００５７】
１０    操作ブロック図
１１，１２  図面
２０    図面作成装置
２１    制御部
２２    出力部（表示部）
２３    入力部
２４    記憶部
２４１    セル情報
２４２    操作場所選択メニュー情報
２４３    シンボルメニュー情報
２４４    操作名称定義情報
２４５    スイッチ種別定義情報
２４６    座標値定義情報
２４７    結線定義情報
３０    シンボルのメニュー選択画面（シンボル設定画面）
６０，６１    マックスパターン（セル）
【図１】
2008257527.tif 000003
【図２】
2008257527.tif 000004
【図３】
2008257527.tif 000005
【図４】
2008257527.tif 000006
【図５】
2008257527.tif 000007
【図６】
2008257527.tif 000008
【図７】
2008257527.tif 000009
【図８】
2008257527.tif 000010
【図９】
2008257527.tif 000011
【図１０】
2008257527.tif 000012
【図１１】
2008257527.tif 000013
【図１２】
2008257527.tif 000014
【図１３】
2008257527.tif 000015
【図１４】
2008257527.tif 000016
【図１５】
2008257527.tif 000017
【図１６】
2008257527.tif 000018
【図１７】
2008257527.tif 000019
【図１８】
2008257527.tif 000020
【図１９】
2008257527.tif 000021
【図２０】
2008257527.tif 000022